(57)【要約】【課題】例えば、ユーザの嗜好又は放送局側で指定された音声チャンネル数を条件とする場合に比してよりコンテンツに最適な音声環境を自動設定することができる。【解決手段】映像信号及びその映像と同期した音声信号を受付け（Ｓ３０１）、受付けた映像信号及び音声信号が示すコンテンツを解析し（Ｓ３０２）、解析結果に対応する音声信号の周波数特定及び音量を示す設定情報を決定し（Ｓ３０３）、決定した設定情報に従って音声信号の周波数特性を変更し（Ｓ３０４）、変更した周波数特性に基づく音声及び受付けた映像信号に基づく映像を出力する。【選択図】図１１
2010021953.tif 000002
【特許請求の範囲】
【請求項１】
映像信号及びその映像と同期した音声信号を受付ける入力手段と、受付けた音声信号の周波数特性及び／又は音量を変更する補正手段と、変更した周波数特性及び／又は音量に基づく音声並びに前記映像信号に基づく映像を出力する出力手段とを備える映像音声出力装置において、
前記映像信号及び音声信号が示すコンテンツを解析する解析手段と、
解析結果に対応する音声信号の周波数特定及び音量を示す設定情報を決定する決定手段と
を備え、
前記補正手段は、決定した設定情報に従って音声信号の周波数特性及び／又は音量を変更するようにしてあることを特徴とする映像音声出力装置。
【請求項２】
前記映像信号又は音声信号がコンテンツの種別を示す付加情報を含むデジタル信号である場合、
前記解析手段は、前記付加情報が示すコンテンツの種別を解析し、
前記決定手段は、解析したコンテンツの種別に対応する設定情報を決定するようにしてあることを特徴とする請求項１に記載の映像音声出力装置。
【請求項３】
前記映像信号又は音声信号が前記付加情報を含むデジタル信号でない場合、
前記解析手段は、前記映像信号がレターボックスタイプの映像を出力させる第１の信号を含むか否かを判断し、
前記決定手段は、前記映像信号が第１の信号を含むと前記解析手段が判断した場合、レターボックスタイプの映像に対応する設定情報を決定するようにしてあること特徴とする請求項１又は２に記載の映像音声出力装置。
【請求項４】
前記映像信号又は音声信号が前記付加情報を含むデジタル信号でない場合、
前記解析手段は、前記音声信号が二カ国語放送の音声を出力させる第２の信号を含むか否かを判断し、
前記決定手段は、前記音声信号が第２の信号を含むと前記解析手段が判断した場合、二カ国語放送に対応する設定情報を決定するようにしてあることを特徴とする請求項１から３のいずれか一つに記載の映像音声出力装置。
【請求項５】
前記映像信号又は音声信号が前記付加情報を含むデジタル信号でない場合、
前記解析手段は、前記映像信号が文字放送の映像を出力させる第３の信号を含むか否かを判断し、
前記決定手段は、前記映像信号が第３の信号を含むと前記解析手段が判断した場合、文字放送に対応する設定情報を決定するようにしてあることを特徴とする請求項１から４のいずれか一つに記載の映像音声出力装置。
【請求項６】
前記解析手段は、
前記映像信号が第３の信号を含むと判断した場合、文字放送で出力する文字データを検出手段と、
検出した文字データに所定の表現形式の語句が含まれているか否かを判断する判断手段と
を更に備え、
前記決定手段は、検出した文字データに所定の表現形式の語句が含まれていると前記判断手段が判断した場合、所定の表現形式の語句を含む文字放送に対応する設定情報を決定するようにしてあることを特徴とする請求項５に記載の映像音声出力装置。
【請求項７】
前記映像信号又は音声信号が前記付加情報を含むデジタル信号でない場合、
前記解析手段は、前記映像信号が所定のアスペクト比を指定する第４の信号を含むか否かを判断し、
前記決定手段は、前記映像信号が第４の信号を含むと前記解析手段が判断した場合、前記所定のアスペクト比に対応する設定情報を決定するようにしてあることを特徴とする請求項１から６のいずれか一つに記載の映像音声出力装置。
【請求項８】
前記映像信号又は音声信号が前記付加情報を含むデジタル信号でない場合、
前記解析手段は、前記映像信号が示す映像のフレーム間の動きベクトルを解析し、
前記決定手段は、解析したフレーム間の動きベクトルに対応する設定情報を決定するようにしてあることを特徴とする請求項１から７のいずれか一つに記載の映像音声出力装置。
【請求項９】
前記映像信号又は音声信号が前記付加情報を含むデジタル信号でない場合、
前記解析手段は、前記音声信号が示す音声の周波数分布を解析し、
前記決定手段は、解析した音声の周波数分布に対応する設定情報を決定するようにしてあることを特徴とする請求項１から８のいずれか一つに記載の映像音声出力装置。
【請求項１０】
前記映像信号又は音声信号が前記付加情報を含むデジタル信号でない場合、
前記解析手段は、前記音声信号が二カ国語放送からステレオ放送へ切替わる状態を検出し、
前記決定手段は、前記解析手段が前記状態を検出した場合、前記状態に対応する設定情報を決定するようにしてあることを特徴とする請求項１から９のいずれか一つに記載の映像音声出力装置。
【請求項１１】
前記映像信号又は音声信号が前記付加情報を含むデジタル信号でない場合、
前記解析手段は、前記映像信号が示す映像の輝度分布を解析し、
前記決定手段は、解析した映像の輝度分布に対応する設定情報を決定するようにしてあることを特徴とする請求項１から１０のいずれか一つに記載の映像音声出力装置。
【請求項１２】
請求項１から１１のいずれか一つに記載の映像音声出力装置において、
前記出力手段は、音声の低音域を出力するための低音出力部を備え、
決定した設定情報に従って前記低音出力部への給電を停止する制御手段を更に備えることを特徴とする映像音声出力装置。
【請求項１３】
前記解析手段は、前記音声信号が所定の音声チャンネル数を示す第５の信号を含むか否かを判断し、
前記決定手段は、前記音声信号が第５の信号を含むと前記解析手段が判断した場合、前記所定の音声チャンネル数で出力すべき音声に対応する設定情報を決定し、
前記制御手段は、決定した設定情報に従って前記低音出力部への給電を停止するようにしてあることを特徴とする請求項１２に記載の映像音声出力装置。
【請求項１４】
前記入力手段が映像信号又は音声信号を受付けていない無信号状態である否かを判定する判定手段を更に備え、
前記制御手段は、前記入力手段が無信号状態であると前記判定手段が判定した場合、前記低音出力部への給電を停止するようにしてあることを特徴とする請求項１２又は１３に記載の映像音声出力装置。
【請求項１５】
請求項１から１４のいずれか一つに記載の映像音声出力装置と、
アンテナで受信した電波から映像信号及び音声信号を生成して前記入力手段へ出力するチューナーと
を備えることを特徴とするテレビジョン受信装置。
【発明の詳細な説明】
【技術分野】
【０００１】
本発明は、映像信号及び音声信号を受け付けて音声信号の周波数特性及び／又は音量を変更し、変更した周波数特性及び／又は音量に基づく音声並びに映像信号に基づく映像を出力する映像音声出力装置及び該映像音声出力装置を備えるテレビジョン受信装置に関し、特に、受け付けた映像信号又は音声信号が示すコンテンツに応じて、音声の周波数特性及び／又は音量を変更することができる映像音声出力装置及びテレビジョン受信装置に関する。
【背景技術】
【０００２】
従来、テレビジョン受信装置、ＤＶＤプレーヤ又はビデオデッキなどの映像音声出力装置は、人声の周波数帯を強調するためのクリアーボイス機能、低音域の周波数帯を強調するためのバスエンハンサー機能、音量を調整するためのオートボリューム機能、音声の低音域を出力するためのウーハーを備えることにより、音声環境を設定することができた。特に、欧州、アジア又は日本などの地域によって音声環境が異なるので、音声環境の設定は、重要な機能である。
【０００３】
しかし、従来の装置にあっては、音声環境の設定をユーザの手動に任せるので、ユーザに大きな操作負担を強いることとなり、また設定に関する知識が必要となるために全てのユーザが利用することができないという問題を有している。
【０００４】
そこで、従来、ユーザの視聴履歴に応じて音声環境を自動設定することができる装置が提案された（例えば、特許文献１）。また、放送局側で指定された音声チャンネル数に応じて音声環境を自動設定することができる装置が提案された（例えば、特許文献２）。その結果、ユーザの操作負担は軽減され、全てのユーザが利用することができた。
【特許文献１】特開２０００−１９６９７０号公報
【特許文献２】特開２００７−１４２８６２号公報
【発明の開示】
【発明が解決しようとする課題】
【０００５】
しかし、特許文献１に記載されている装置にあっては、音声環境がユーザの視聴履歴に応じて自動設定されているにすぎず、コンテンツに最適な音声環境を自動設定することはできないという問題を有している。
【０００６】
また、特許文献２に記載されている装置にあっては、音声環境が音声チャンネル数に応じて自動設定されているにすぎず、様々な条件を考慮してコンテンツに最適な音声環境を自動設定することはできないという問題を有している。
【０００７】
更にまた、近年、二酸化炭素の増大による環境問題が深刻化しているため、テレビジョン受信装置などの分野にあっては、消費電力を抑制することで二酸化炭素の排出を抑制することが要望されている。
【０００８】
本発明にかかる事情に鑑みてなされたものであり、その目的とするところは、受け付けた映像信号又は音声信号が示すコンテンツを多面的に解析し、解析の結果に応じて音声信号の周波数特性及び音量を示す設定情報を決定し、決定した設定情報に従って音声信号の周波数特性及び／又は音量を変更し、変更した周波数特性及び／又は音量に基づく音声並びに映像信号に基づく映像を出力するようにしてあることにより、様々な条件を考慮してコンテンツに最適な音声環境を自動設定することができる映像音声出力装置及びテレビジョン受信装置を提供することにある。
【課題を解決するための手段】
【０００９】
上記課題を解決するために、この映像音声出力装置は、映像信号及びその映像と同期した音声信号を受付ける入力手段と、受付けた音声信号の周波数特性及び／又は音量を変更する補正手段と、変更した周波数特性及び／又は音量に基づく音声並びに前記映像信号に基づく映像を出力する出力手段とを備える映像音声出力装置において、前記映像信号及び音声信号が示すコンテンツを解析する解析手段と、解析結果に対応する音声信号の周波数特定及び音量を示す設定情報を決定する決定手段とを備え、前記補正手段は、決定した設定情報に従って音声信号の周波数特性及び／又は音量を変更するようにしてあることを要件とする。
【００１０】
また、このテレビジョン受信装置は、上述した映像音声出力装置と、アンテナで受信した電波から映像信号及び音声信号を生成して前記入力手段へ出力するチューナーとを備えることを要件とする。
【００１１】
この映像音声出力装置は、受け付けた映像信号又は音声信号が示すコンテンツを多面的に解析することにより、例えば、ユーザの嗜好又は放送局側で指定された音声チャンネル数とは異なる様々な条件を検出する。また、解析の結果に応じて、音声信号の周波数特性及び音量を示す設定情報を決定し、決定した設定情報に従って音声信号の周波数特性及び／又は音量を変更することにより、ユーザの嗜好又は放送局側で指定された音声チャンネル数に限定されることなく、様々な条件に基づいてコンテンツに最適な音声環境を自動設定する。
【００１２】
また、このテレビジョン受信装置は、上述した映像音声出力装置と、アンテナで受信した電波から映像信号及び音声信号を生成して映像音声出力装置へ出力するチューナーとを備えることにより、放送局から発信された放送番組に最適な音声環境を自動設定する。
【発明の効果】
【００１３】
開示の装置は、ユーザに操作負担を強いることなく、設定に関する知識を要することなく全てのユーザが利用することができると共に、様々な条件を考慮してコンテンツに最適な音声環境を自動設定することができる。
【発明を実施するための最良の形態】
【００１４】
実施の形態１．
以下、本発明に係る映像音声出力装置及びこの映像音声出力装置を備えるテレビジョン受信装置について、実施の形態を示す図面に基づいて説明する。図１は本発明に係るテレビジョン受信装置及び映像音声出力装置の構成を示すブロック図である。
【００１５】
図１は、テレビジョン受信装置が備える、電波を受信する受信部１と、電波から映像信号及び音声信号を生成するチューナー２と、映像音声出力装置３と、映像を出力するディスプレイ４と、音声を出力するスピーカー５及びウーハー６とを示している。各ハードウェアは、通信線を介して接続されている。尚、図１は、実線の矢印により映像信号又は音声信号などの流れを示し、点線の矢印により制御信号の流れを示す。
【００１６】
受信部１は、これに接続するアンテナ１０を介して放送局（図示せず）から発信された電波を受信し、受信した電波をチューナー２へ出力する。
【００１７】
チューナー２は、受信部１から電波を受け付け、受け付けた電波から映像信号及び音声信号を生成して後述する映像音声出力装置３のビデオスイッチ３０２及びオーディオスイッチ３０３へ出力する。生成される映像信号及び音声信号は、デジタル信号又はアナログ信号のいずれかである。図２はデジタル信号のスタックの一例を示す概念図である。デジタル信号は、映像信号が示す映像のスタック、音声信号が示す音声のスタック、付加信号が示す付加情報のスタックなどを含む。付加情報は、例えば、ニュース、アニメーション、スポーツ中継又は映画などのコンテンツの種別を示すデータを含む。チューナー２は、デジタル信号を生成した場合、デジタル信号から付加信号を抽出し、抽出した付加信号及びデジタル信号を示す識別信号を後述する映像音声出力装置のＣＰＵ３００へ出力する。
【００１８】
映像音声出力装置３は、チューナー２から出力された映像信号及び音声信号を受け付け、受け付けた映像音声及び音声信号が示すコンテンツを解析し、解析結果に対応する音声信号の周波数特性及び音量を示す設定情報を決定する。映像音声出力装置３は、決定した設定情報に従って音声信号の周波数特性及び／又は音量を変更する。映像音声出力装置３は、変更した周波数特性及び音量に基づく音声をスピーカー５及びウーハー６を介して出力する。映像音声出力装置３は、映像信号に基づく映像をディスプレイ４を介して出力する。
【００１９】
映像音声出力装置３は、外部からアナログの映像信号及び音声信号を受け付ける入力インタフェース（以下「入力ＩＦ」という。）３０１と、チューナー２又は入力ＩＦ３０１から映像信号を排他的に受け付けるビデオスイッチ３０２と、チューナー２又は入力ＩＦ３０１から音声信号を排他的に受け付けるオーディオスイッチ３０３と、外部からデジタル信号を受け付けるＨＤＭＩ（High-Definition Multimedia Interface）３０４と、ＨＤＭＩ３０４の機能を有効にするＨＤＭＩセレクタ３０５と、受け付けたデジタル信号から映像信号、音声信号及び付加信号を抽出するＨＤＭＩレシーバー３０６とを備える。
【００２０】
また、映像音声出力装置３は、ビデオスイッチ３０２又はＨＤＭＩレシーバー３０６から映像信号を排他的に受け付け、受け付けた映像信号が示すコンテンツを解析する映像処理部３０７と、映像処理部３０７から受け付けた映像信号をディスプレイ４へ出力する映像出力インタフェース（以下「映像出力ＩＦ」という。）３０８とを備える。
【００２１】
また、映像音声出力装置３は、オーディオスイッチ３０３又はＨＤＭＩレシーバー３０６から音声信号を排他的に受け付け、受け付けた音声信号が示すコンテンツを解析する音声処理部３０９と、音声処理部３０９から受け付けた音声信号の周波数特性及び音量を変更するアンプ３１０ａ及び３１０ｂと、アンプ３１０ａから受け付けた音声信号をスピーカー５へ出力する音声出力インタフェース（以下「音声出力ＩＦ」という。）３１１ａと、アンプ３１０ｂから受け付けた音声信号をウーハー６へ出力する音声出力ＩＦ３１１ｂとを備える。
【００２２】
更にまた、映像音声出力装置３は、プログラム及び各種データを記憶する補助記憶部３１２と、全てのハードウェアへ給電を行う電源ユニット３１３と、全てのハードウェアを制御すると共に補助記憶部３１２に記憶してあるプログラムに従って各種処理を実行するＣＰＵ３００とを備える。
【００２３】
映像音声出力装置３は、チューナー２、入力ＩＦ３０１又はＨＤＭＩ３０４を排他的に用いて映像信号及び音声信号を受け付ける。
【００２４】
入力ＩＦ３０１は、本発明の入力手段に該当し、映像信号の入力端子及び音声信号の入力端子を備え、アナログの映像信号及び音声信号を夫々受け付ける。入力ＩＦ３０１は、受け付けた映像信号をビデオスイッチ３０２へ出力すると共に、受け付けた音声信号をオーディオスイッチ３０３へ出力する。
【００２５】
ビデオスイッチ３０２は、チューナー２から出力されたアナログ又はデジタルの映像信号、又は入力ＩＦ３０１から出力されたアナログの映像信号を排他的に受け付けると共に、受け付けた映像信号を映像処理装置３０７へ出力する。ビデオスイッチ３０２は、チューナー２から出力された映像信号を受け付ける場合、本発明の入力手段となる。
【００２６】
オーディオスイッチ３０３は、チューナー２から出力されたアナログ又はデジタルの音声信号、又は入力ＩＦ３０１から出力されたアナログの音声信号を排他的に受け付けると共に、受け付けた音声信号を音声処理部３０９へ出力する。オーディオスイッチ３０３は、チューナー２から出力された音声信号を受け付ける場合、本発明の入力手段に該当する。
【００２７】
ＨＤＭＩ３０４は、本発明の入力手段に該当し、映像信号、音声信号及び付加信号を含むデジタル信号を受け付ける。
【００２８】
ＨＤＭＩセレクタ３０５は、ＨＤＭＩ３０４がデジタル信号を受け付けた場合にＨＤＭＩ３０４の機能を有効とする要求をＣＰＵ３００に出力する。その結果、映像音声出力装置３は、チューナー２、入力ＩＦ３０１又はＨＤＭＩ３０４を排他的に用いて映像信号及び音声信号を受け付けることができる。
【００２９】
ＨＤＭＩレシーバー３０６は、ＨＤＭＩ３０４を介して受け付けたデジタル信号から映像信号、音声信号及び付加信号を抽出する。ＨＤＭＩレシーバー３０６は、抽出した付加信号及びデジタル信号を示す識別信号をＣＰＵ３００へ出力する。ＨＤＭＩレシーバー３０６は、抽出した映像信号を映像処理部３０７へ出力すると共に、抽出した音声信号を音声処理部３０９へ出力する。
【００３０】
尚、ＣＰＵ３００は、付加信号及びデジタル信号を示す識別信号を受け付けた場合、付加信号が示すコンテンツの種別を解析し、解析したコンテンツの種別に対応する設定情報を決定する。設定情報の決定方法については、後述にて説明する。
【００３１】
映像処理部３０７は、ビデオスイッチ３０２から出力された映像信号、又はＨＤＭＩレシーバー３０６から出力された映像信号を排他的に受け付け、受け付けた映像信号を映像出力ＩＦ３０８へ出力する。映像処理部３０７は、ＣＰＵ３００がデジタル信号を示す識別信号を受け付けていない場合、即ち、アナログの映像信号を受け付けた場合に受け付けた映像信号が示すコンテンツを解析し、解析結果をＣＰＵ３００へ出力する。以下、映像処理部３０７の構成及び作用について説明する。図３は映像処理部３０７の構成を示すブロック図である。
【００３２】
映像処理部３０７は、映像信号が示す画面サイズを判別する黒帯判別部３０７０と、文字放送の文字を認識する文字認識部３０７１と、映像のアスペクト比を指定するＷＳＳ（Wide Screen Signaling）信号を検出するＷＳＳ検出部３０７２と、映像のフレーム間の動きベクトルを判別する動きベクトル判別部３０７３と、映像の輝度分布を検出するヒストグラム検出部３０７４とを備える。各部は、通信線（図示せず。）により相互に接続されている。尚、各部の関係は、後述にて説明する。
【００３３】
黒帯判別部３０７０は、受付けた映像信号がレターボックスタイプの映像を出力させる制御信号を含むか否かを判別する。これにより、黒帯判別部３０７０は、受付けた映像信号が示す画面サイズを判別することができる。図４は映像のタイプを説明するための模式図である。黒帯は、映像の表示画面サイズにおいて、画面サイズ規格との表示互換性をとるために本来の撮影された映像部分の上下左右に追加されるものである。レターボックスタイプの映像は、映像部分の上下に黒帯が追加されたものをいい、例えば、映画、スポーツ中継のコンテンツが該当する（図４（ａ）参照）。尚、黒帯判別部３０７０は、ピラーボックスタイプ、額縁放送タイプなど、その他の画面サイズを判別してもよい。ピラーボックスタイプの映像は、映像部分の左右に黒帯が追加されたものをいい、例えば、アニメーションのコンテンツが該当する（図４（ｂ）参照）。額縁放送タイプの映像は、映像部分の上下左右に黒帯が追加されたものをいい、例えば、ニュースのコンテンツが該当する（図４（ｃ）参照）。ＣＰＵ３００は、画面サイズに応じた設定情報を決定する。
【００３４】
文字認識部３０７１は、受付けた映像信号が文字放送の信号を含むか否かを判断し、文字放送の信号であると判断した場合、映像信号が示す映像に表示される文字を認識する文字認識処理を実行する。文字放送の信号は、アナログの映像信号の垂直帰線期間に重畳されている。図５は映像信号が示す映像に表示される文字の一例を示す模式図である。例えば、「Ｈｅａｄｌｉｎｅ  Ｎｅｗｓ」又は「Ｔｏｐｉｃ」などの報道分野で用いる表現形式の語句が表示されている場合（図５参照）は、ニュースのコンテンツが該当し、「Ｇｒａｎｄ  Ｓｌａｍ」又は「Ｐｏｉｎｔｓ」などのスポーツ分野で用いる表現形式の語句が表示されている場合は、スポーツ中継のコンテンツが該当し、スラングなどの口語表現の語句が表示されている場合は、映画のコンテンツが該当する。ＣＰＵ３００は、所定の表現形式の語句に応じた設定情報を決定する。
【００３５】
図６は文字認識処理の手順を示すフローチャートである。文字認識部３０７１は、映像信号が示す映像から１フレームの映像を抽出し（Ｓ１０１）、抽出した映像に表示される文字の滲みを除去する（Ｓ１０２）。アナログの映像信号は、本質的に境界が滲み易く、また、低解像度のテレビジョン受信装置で文字を滑らかに見せるためにアンチエイリアシングにより故意に滲みを持たせているからである。文字認識部３０７１は、映像から特定幅の線である特定線幅部を抽出し（Ｓ１０３）、更に特定線幅部が集中する特定線幅部集中領域を抽出する（Ｓ１０４）。文字は、特定幅の線で構成され、この線が密集する領域に存在するとみなすことができるからである。
【００３６】
文字認識部３０７１は、抽出した領域が文字領域として妥当であるか否かの文字領域妥当性を検査し（Ｓ１０５）、妥当であると判断した場合に領域中に含まれる文字の特徴点を抽出する（Ｓ１０６）。文字認識部３０７１は、抽出した文字の特徴点と一致する文字を、補助記憶部３１２に記憶してある対照表（図示せず。）に基づいて特定することにより、文字を認識する（Ｓ１０７）。文字認識部３０７１は、ステップＳ１０１に戻り、次フレームの映像を抽出してステップＳ１０２以降の処理を実行する。尚、対照表は、文字とこの文字の特徴点とを対応付けて格納する。
【００３７】
ＷＳＳ検出部３０７２は、映像信号が示す映像のアスペクト比を指定するＷＳＳ信号を検出する。ＷＳＳは、映像を放送局で指定したアスペクト比に調整するためのデータであり、アナログの映像信号に重畳される。ＷＳＳ検出部３０７２は、ＷＳＳが含むトップ又はセンタを示す映像開始位置の情報を検出することにより、コンテンツを解析する。例えば、ＷＳＳがトップを示す映像開始位置を含む場合は、映画のコンテンツが該当する。ＣＰＵ３００は、解析結果に対応する設定情報を決定する。
【００３８】
動きベクトル判別部３０７３は、映像信号が示す映像のフレーム間の動きベクトルを判別する動きベクトル判別処理を実行する。その結果、ＣＰＵ３００は、動きベクトルが大きくなるほど、音声出力がダイナミックになるように設定情報を決定する。
【００３９】
図７は動きベクトル判別処理の手順を示すフローチャートである。動きベクトル判別部３０７３は、映像信号が示す映像から１フレームの映像を抽出し（Ｓ２０１）、抽出した映像の特徴点を抽出する（Ｓ２０２）。動きベクトル判別部３０７３は、補助記憶部３１２に記憶してある前フレームの特徴点を読み出し（Ｓ２０３）、抽出した映像の特徴点と、読み出した前フレームの特徴点との差分からフレーム間の動きベクトルを導出する（Ｓ２０４）。動きベクトル判別部３０７３は、補助記憶部３１２に記憶してある前フレームの特徴点を消去すると共に、ステップＳ２０１で抽出した１フレームの特徴点を補助記憶部３１２に記憶する（Ｓ２０５）。動きベクトル判別部３０７３は、ステップＳ２０１に戻り、次フレームの映像を抽出してステップＳ２０２以降の処理を実行する。
【００４０】
ヒストグラム検出部３０７４は、映像信号が示す映像の輝度分布を検出する。図８は映像の輝度分布の一例を説明するグラフである。ヒストグラム検出部３０７４は、所定時間分のフレームについての輝度Ｙを検出する。ヒストグラム検出部３０７４は、例えば、下式１を用いて輝度Ｙを算出する。
【００４１】
Ｙ＝０．３０Ｒ＋０．５９Ｇ＋０．１１Ｂ  …（１）
但し、Ｒを赤色信号とし、Ｇを緑色信号とし、Ｂを青色信号とする。
【００４２】
また、ヒストグラム検出部３０７４は、検出した輝度を平均する。ヒストグラム検出部３０７４は、例えば、下式２を用いて平均輝度ＹAVE を算出する。
【００４３】
ＹAVE ＝Σ（Ｙ×ｎY ）／ΣｎY   …（２）
但し、平均輝度をＹAVE とし、輝度をＹとし、各階調の画素数をｎY とする。
【００４４】
ヒストグラム検出部３０７４は、８階調刻みで画素数をカウントすることにより、横軸を階調とし、縦軸を画素数（個）とする二次元座標平面の輝度分布を作成する（図８参照）。例えば、輝度分布がフラットの場合（図８（ａ）参照）は、白及び黒が調和されているスタジオ内で撮影されているニュースのコンテンツが該当する。また、輝度分布がガウス分布である場合（図８（ｂ）参照）は、芝生のグリーンが映像の大半を占めるサッカー又は野球などのスポーツ中継のコンテンツが該当する。また、輝度分布が右下がりである場合（図８（ｃ）参照）は、暗いシーンが多い映画のコンテンツが該当する。ＣＰＵ３００は、解析結果に対応する設定情報を決定する。
【００４５】
音声処理部３０９は、オーディオスイッチ３０３から出力された音声信号、又はＨＤＭＩレシーバー３０６から出力された音声信号を排他的に受け付け、受け付けた音声信号をアンプ３１０ａ及び３１０ｂへ出力する。音声処理部３０９は、ＣＰＵ３００がデジタル信号を示す識別信号を受け付けていない場合、即ち、アナログの音声信号を受け付けた場合、受け付けた音声信号が示すコンテンツを解析し、解析結果をＣＰＵ３００へ出力する。以下、解析手段としての音声処理部３０９の構成及び作用について説明する。図９は音声処理部３０９の構成を示すブロック図である。
【００４６】
音声処理部３０９は、音声信号が二カ国語放送が可能な多重信号であるか否かを判別する音声多重判別部３０９０と、音声信号が示す音声の周波数分布を検出する周波数分布検出部３０９１と、音声信号が二カ国語放送が可能な多重信号からステレオ放送が可能な多重信号へ切り替わる状態を検出するコマーシャル判別部３０９２とを備える。各部は、通信線（図示せず。）により相互に接続されている。尚、各部の関係は、後述にて説明する。
【００４７】
音声多重判別部３０９０は、音声信号が二カ国語放送が可能な多重信号であるか否かを判別する。二カ国語放送の場合は、音声信号に第１及び第２言語の音声信号が多重しているからである。例えば、二カ国語放送の場合は、ニュースのコンテンツが該当する。ＣＰＵ３００は、解析結果に対応する設定情報を決定する。
【００４８】
周波数分布検出部３０９１は、音声信号が示す音声の周波数分布を検出する。図１０は音声の周波数分布の一例を説明するグラフである。周波数分布検出部３０９１は、検出した周波数分布を、横軸を音声の周波数（Ｈｚ）とし、縦軸をデシベル（ｄＢ）とする二次元座標平面として作成する。例えば、日本語の周波数は、２００〜２，０００（Ｈｚ）であるから、周波数分布がこの周波数帯に集中する場合は、アナウンサーが日本語の原稿を読むニュースのコンテンツが該当する（図１０参照）。ＣＰＵ３００は、解析結果に対応する設定情報を決定する。尚、英語の周波数は、２，０００〜１２，０００（Ｈｚ）であるから、周波数分布がこの周波数帯に集中する場合は、アナウンサーが英語の原稿を読むニュースのコンテンツが該当する。
【００４９】
コマーシャル判別部３０９２は、音声信号が二カ国語放送が可能な多重信号からステレオ放送が可能な多重信号へ切り替わる状態を検出する。音声信号は、二カ国語放送が可能な多重信号とステレオ放送が可能な多重信号とを区別するための識別信号を多重しているので、コマーシャル判別部３０９２は、この識別信号を検出したときに二カ国語放送からステレオ放送へ切替わる状態と判断する。番組枠内のコマーシャルは、ステレオ放送されているから、二カ国語放送からステレオ放送へ切替わる状態は、コマーシャルのコンテンツが該当する。ＣＰＵ３００は、解析結果に対応する設定情報を決定する。特に欧州では、コマーシャルの音量が大きくなる傾向にあるので、設定情報は、オートボリューム機能を用いてコマーシャル時の音量を下げるように設定される。
【００５０】
アンプ３１０ａ及びアンプ３１０ｂは、本発明の補正手段に該当し、音声処理部３０９から受け付けた音声信号の周波数特性及び音量をＣＰＵ３００が決定した設定情報に従って変更する音響機器である。アンプ３１０ａ及び３１０ｂは、人声の周波数帯を強調するためのクリアーボイス機能、低音域の周波数帯を強調するためのバスエンハンサー機能、及び音量を調整するためのオートボリューム機能などを備える。アンプ３１０ａは、音声信号をスピーカー５へ出力し、アンプ３１０ｂは、音声信号をウーハー６へ出力する。アンプ３１０ａ及び３１０ｂは、電源ユニット３１３から電力の供給を受けることにより作動し、電源ユニット３１３からの給電が停止したときに停止する。電源ユニット３１３からの給電の制御手段は、ＣＰＵ３００が該当する。
【００５１】
スピーカー５及びウーハー６は、本発明の出力手段に該当する。スピーカー５及びウーハー６は、電源ユニット３１３から電力の供給を受けることにより作動し、電源ユニット３１３からの給電が停止したときに停止する。また、ウーハー６は、本発明の低音出力部に該当し、アンプ３１０ｂ及びウーハー６への給電が停止することにより、音声出力を停止する。その結果、無用な消費電力を抑制することができる。
【００５２】
このように、映像音声出力装置３は、上述したハードウェアを備え、ハードウェアは、ＣＰＵ３００により制御されることにより、解析結果に対応する設定情報を決定して音声信号の周波数特性及び音量を変更する音声変更処理を実行する。以下、映像音声出力装置３が実行する音声変更処理の手順について説明する。図１１は実施の形態１における映像音声出力装置３が実行する音声変更処理の手順を示すフローチャートである。
【００５３】
映像音声出力装置３のＣＰＵ３００は、入力ＩＦ３０１、ビデオスイッチ３０２及びオーディオスイッチ３０３、又はＨＤＭＩ３０４を介して映像信号及び音声信号を受け付ける（Ｓ３０１）。ＣＰＵ３００は、受け付けた映像信号又は音声信号が示すコンテンツを解析するコンテンツ解析処理を実行する（Ｓ３０２）。尚、コンテンツ解析処理の手順は、後述にて説明する。
【００５４】
ＣＰＵ３００は、解析結果に対応する設定情報を決定し（Ｓ３０３）、決定した設定情報に従って音声信号の周波数特性を変更する（Ｓ３０４）。また、ＣＰＵ３００は、決定した設定情報に従って音量を変更し（Ｓ３０５）、ウーハー６への給電を制御する（Ｓ３０６）。ＣＰＵ３００は、処理を終了する。
【００５５】
次にステップＳ３０２で実行されるコンテンツ解析処理の手順について説明する。図１２及び図１３は映像音声出力装置３が実行するコンテンツ解析処理の手順を示すフローチャートである。
【００５６】
映像音声出力装置３のＣＰＵ３００は、受け付けた映像信号又は音声信号がデジタル信号であるか否か、即ち付加情報が存在するか否かを判断する（Ｓ４０１）。ＣＰＵ３００は、付加情報が存在すると判断した場合（Ｓ４０１でＹＥＳ）、付加情報が示すコンテンツの種別を解析結果として出力する（Ｓ４０２）。ＣＰＵ３００は、次回処理の要求があるまで待機する。
【００５７】
一方、ＣＰＵ３００は、付加情報が存在していないと判断した場合（Ｓ４０１でＮＯ）、受け付けた映像信号がレターボックスなどの映像を出力させる制御信号を含むか否か、即ち、映像信号が示す映像に黒帯が存在するか否かを黒帯判別部３０７０を用いて判断する（Ｓ４０３）。その結果、ＣＰＵ３００は、映像信号が示す映像に黒帯が存在すると判断した場合（Ｓ４０３でＹＥＳ）、映像のタイプを判別し（Ｓ４０４）、判別した映像のタイプを解析結果として出力する（Ｓ４０２）。ＣＰＵ３００は、次回処理の要求があるまで待機する。
【００５８】
一方、ＣＰＵ３００は、映像信号が示す映像に黒帯が存在しないと判断した場合（Ｓ４０３でＮＯ）、受け付けた音声信号が二カ国語放送が可能な多重信号であるか否かを音声多重判別部３０９０を用いて判別する（Ｓ４０５）。その結果、ＣＰＵ３００は、受け付けた音声信号が二カ国語放送が可能な多重信号であると判別した場合（Ｓ４０５でＹＥＳ）、二カ国語放送であるとの解析結果を出力する（Ｓ４０２）。ＣＰＵ３００は、次回処理の要求があるまで待機する。
【００５９】
一方、ＣＰＵ３００は、受け付けた音声信号が二カ国語放送が可能な多重信号でないと判別した場合（Ｓ４０５でＮＯ）、受け付けた映像信号が文字放送の信号であるか否かを文字認識部３０７１を用いて判断する（Ｓ４０６）。その結果、ＣＰＵ３００は、受け付けた映像信号が文字放送であると判断した場合（Ｓ４０６でＹＥＳ）、映像信号が示す映像に表示される文字を文字認識部３０７１を用いて認識する（Ｓ４０７）。ＣＰＵ３００は、文字認識の解析結果を出力し（Ｓ４０２）、次回処理の要求があるまで待機する。
【００６０】
一方、ＣＰＵ３００は、受け付けた映像信号が文字放送でないと判断した場合（Ｓ４０６でＮＯ）、受け付けた映像信号がＷＳＳ信号を含むか否かをＷＳＳ検出部３０７２を用いて判断する（Ｓ４０８）。その結果、ＣＰＵ３００は、受け付けた映像信号がＷＳＳ信号を含むと判断した場合（Ｓ４０８でＹＥＳ）、ＷＳＳが示す映像開始位置を判別する（Ｓ４０９）。ＣＰＵ３００は、判別した映像開始位置の解析結果を出力し（Ｓ４０２）、次回処理の要求があるまで待機する。
【００６１】
一方、ＣＰＵ３００は、受け付けた映像信号がＷＳＳ信号を含まないと判断した場合（Ｓ４０８でＮＯ）、フレーム間の動きベクトルの解析が可能であるか否かを動きベクトル判別部３０７３を用いて判断する（Ｓ４１０）。その結果、ＣＰＵ３００は、フレーム間の動きベクトルの解析が可能であると判断した場合（Ｓ４１０でＹＥＳ）、フレーム間の動きベクトルを導出する（Ｓ４１１）。ＣＰＵ３００は、動きベクトルの解析結果を出力し（Ｓ４０２）、次回処理の要求があるまで待機する。
【００６２】
一方、ＣＰＵ３００は、フレーム間の動きベクトルの解析が不可能と判断した場合（Ｓ４１０でＮＯ）、音声の周波数分布解析が可能であるか否かを周波数分布検出部３０９１を用いて判断する（Ｓ４１２）。その結果、ＣＰＵ３００は、音声の周波数分布解析が可能であると判断した場合（Ｓ４１２でＹＥＳ）、音声の周波数分布を導出する（Ｓ４１３）。ＣＰＵ３００は、音声の周波数分布の解析結果を出力し（Ｓ４０２）、次回処理の要求があるまで待機する。
【００６３】
一方、ＣＰＵ３００は、音声の周波数分布解析が不可能であると判断した場合（Ｓ４１２でＮＯ）、音声信号が二カ国語放送からステレオ放送へ切り替わる状態をコマーシャル判別部３０９２を用いて検出する（Ｓ４１４）。その結果、ＣＰＵ３００は、音声信号が二カ国語放送からステレオ放送へ切り替わる状態を検出した場合（Ｓ４１４でＹＥＳ）、切替状態の解析結果を出力する（Ｓ４０２）。ＣＰＵ３００は、次回処理の要求があるまで待機する。
【００６４】
一方、ＣＰＵ３００は、音声信号が二カ国語放送からステレオ放送へ切り替わる状態を検出できない場合（Ｓ４１４でＮＯ）、映像の輝度分布解析が可能であるか否かをヒストグラム検出部３０７４を用いて判断する（Ｓ４１５）。その結果、ＣＰＵ３００は、映像の輝度分布解析が可能であると判断した場合（Ｓ４１５でＹＥＳ）、映像の輝度分布を導出する（Ｓ４１６）。ＣＰＵ３００は、映像の輝度分布の解析結果を出力し（Ｓ４０２）、次回処理の要求があるまで待機する。
【００６５】
一方、ＣＰＵ３００は、映像の輝度分布解析が不可能であると判断した場合（Ｓ４１５でＮＯ）、解析不可の通知を出力し（Ｓ４１７）、次回処理の要求があるまで待機する。
【００６６】
ＣＰＵ３００は、補助記憶部３１２に記憶してある一覧表（図示せず。）を参照することにより、出力した解析結果（Ｓ４０２参照）に応じて設定情報を決定する。一覧表は、解析結果と設定情報とを対応付けて格納する。例えば、ニュースのコンテンツを示す解析結果の場合は、ウーハー６及びバスエンハンサー機能を停止させることにより低音域を強調しないようにし、クリアーボイス機能により人声の周波数帯を強調し、オートボリューム機能を作動させる設定となる。また、映画のコンテンツを示す解析結果の場合は、ウーハー６及びバスエンハンサー機能を作動させることにより低音域を強調し、クリアーボイス機能を停止することにより人声のみを強調せず、オートボリューム機能を停止させる設定となる。
【００６７】
このように、本発明にあっては、複数のパラメータを用いてコンテンツを順次解析を試みることにより、いずれかのパラメータを用いて確実の解析を行うことができる。また、複数のパラメータによる解析の結果に応じて設定情報を多面的に決定することにより、ユーザの嗜好又は放送局側で指定した音声チャンネル数を用いる場合より詳細に最適な音声環境を自動設定することができる。
【００６８】
実施の形態２．
上述した実施の形態１に加え、受け付けた音声信号の音声チャンネル数を解析するか、信号の入力がない無信号状態を判定することにより、最適な音声環境を設定するようにしても良い。そこで、かかる形態を実施の形態２として以下説明する。
【００６９】
音声処理部３０９は、実施の形態１における各部に加え（図９参照）、音声信号が含む音声のチャンネル数を解析する手段を備える。また、ＣＰＵ３００は、映像信号及び音声信号を所定の時間以上受け付けていない無信号状態を判定する。
【００７０】
尚、その他のハードウェアについては、実施の形態１において説明したものと同様であるので、同一の符号を付してその説明を省略する。
【００７１】
図１４は実施の形態２における映像音声出力装置３が実行する音声変更処理の手順を示すフローチャートである。映像音声出力装置３のＣＰＵ３００は、入力ＩＦ３０１、ビデオスイッチ３０２及びオーディオスイッチ３０３、又はＨＤＭＩ３０４を介して映像信号及び音声信号を受け付ける（Ｓ５０１）。
【００７２】
ＣＰＵ３００は、受け付けた映像信号又は音声信号が示すコンテンツを解析するコンテンツ解析処理を実行する（Ｓ５０２）。ＣＰＵ３００は、受け付けた音声信号が含む音声のチャンネル数を解析する音声チャンネル数解析処理を実行する（Ｓ５０３）。ＣＰＵ３００は、例えば、２．１チャンネル数、５．１チャンネル数又は７．１チャンネル数の音声信号を受け付けた場合、ウーハー６を作動させるように設定し、それ以外のチャンネル数の音声信号を受け付けた場合、ウーハー６への給電を停止させるように設定する。
【００７３】
ＣＰＵ３００は、無信号状態であるか否かを判定する無信号状態判定処理を実行する（Ｓ５０４）。ＣＰＵ３００は、例えば、無信号状態であると判定した場合、ウーハー６への給電を停止させるように設定する。
【００７４】
ＣＰＵ３００は、解析結果に対応する設定情報を決定し（Ｓ５０５）、決定した設定情報に従って音声信号の周波数特性を変更する（Ｓ５０６）。また、ＣＰＵ３００は、決定した設定情報に従って音量を変更し（Ｓ５０７）、ウーハー６への給電を制御する（Ｓ５０８）。ＣＰＵ３００は、処理を終了する。
【００７５】
尚、ステップＳ５０２で実行されるコンテンツ解析処理の手順は、図１２で示すフローチャートと同様であるので、同一のステップ番号を付してその説明を省略する。
【００７６】
このように、本発明にあっては、所定のチャンネル数を受け付けた場合、又は無信号状態であると判定した場合、ウーハー６への給電を停止することにより、無用な消費電力を節約することができる。例えば、テレビジョン受信装置が３７型である場合、この消費電力は、２００〜２５０ワットであり、ウーハー６への給電を停止した場合、約１５ワットの電力消費を抑制することができる。
【００７７】
尚、上述した実施の形態では、映像音声出力装置３及びこれを備えるテレビジョン受信装置を一例として説明した。しかし、本発明は、これに限定されるものでなく、ＤＶＤプレーヤ又はビデオデッキなどの映像音声出力装置３が単体で存在してもよい。
【図面の簡単な説明】
【００７８】
【図１】本発明に係るテレビジョン受信装置及び映像音声出力装置の構成を示すブロック図である。
【図２】デジタル信号のスタックの一例を示す概念図である。
【図３】映像処理部の構成を示すブロック図である。
【図４】映像のタイプを説明するための模式図である。
【図５】映像信号が示す映像に表示される文字の一例を示す模式図である。
【図６】文字認識処理の手順を示すフローチャートである。
【図７】動きベクトル判別処理の手順を示すフローチャートである。
【図８】映像の輝度分布の一例を説明するグラフである。
【図９】音声処理部の構成を示すブロック図である。
【図１０】音声の周波数分布の一例を説明するグラフである。
【図１１】実施の形態１における映像音声出力装置が実行する音声変更処理の手順を示すフローチャートである。
【図１２】映像音声出力装置が実行するコンテンツ解析処理の手順を示すフローチャートである。
【図１３】映像音声出力装置が実行するコンテンツ解析処理の手順を示すフローチャートである。
【図１４】実施の形態２における映像音声出力装置が実行する音声変更処理の手順を示すフローチャートである。
【符号の説明】
【００７９】
１  受信部
１０  アンテナ
２  チューナー
３  映像音声出力装置
３００  ＣＰＵ
３０１  入力ＩＦ
３０２  ビデオスイッチ
３０３  オーディオスイッチ
３０４  ＨＤＭＩ
３０５  ＨＤＭＩセレクタ
３０６  ＨＤＭＩレシーバー
３０７  映像処理部
３０７０  黒帯判別部
３０７１  文字認識部
３０７２  ＷＳＳ検出部
３０７３  動きベクトル判別部
３０７４  ヒストグラム検出部
３０８  映像出力ＩＦ
３０９  音声処理部
３０９０  音声多重判別部
３０９１  周波数分布検出部
３０９２  コマーシャル判別部
３１０ａ  アンプ
３１０ｂ  アンプ
３１１ａ  音声出力ＩＦ
３１１ｂ  音声出力ＩＦ
３１２  補助記憶部
３１３  電源ユニット
４  ディスプレイ
５  スピーカー
６  ウーハー
【図１】
2010021953.tif 000003
【図２】
2010021953.tif 000004
【図３】
2010021953.tif 000005
【図４】
2010021953.tif 000006
【図５】
2010021953.tif 000007
【図６】
2010021953.tif 000008
【図７】
2010021953.tif 000009
【図８】
2010021953.tif 000010
【図９】
2010021953.tif 000011
【図１０】
2010021953.tif 000012
【図１１】
2010021953.tif 000013
【図１２】
2010021953.tif 000014
【図１３】
2010021953.tif 000015
【図１４】
2010021953.tif 000016